(57)【要約】【課題】本発明の高周波加熱調理装置は、ドアの耐熱性に依存することなく、チョーク部からドア内部へ異物や蒸気が侵入することを防止すること。【解決手段】装置本体内に設け被加熱物を収納する加熱室２３と、加熱室に高周波電波を供給する高周波発生装置である電子レンジ２１と、加熱室前面に形成し被加熱物を出し入れする加熱室開口部２４と、加熱室開口部を開閉自在に覆うドア２５と、ドア２５の周縁部に設けたチョーク部２７と、チョーク部と加熱室開口部の周壁部との間の位置の前記ドアに設けた樹脂製のチョークカバー２８とを備え、チョーク部に対向するドア２５との間にゴムパッキン３２を形成し、チョーク部とドア２５との間をシールすることにより、ドア２５の耐熱性に依存することなく、チョーク部からドア２５内部へ異物や蒸気が侵入することを防止することができる。【選択図】図１
2013253719.tif 000002
【特許請求の範囲】
【請求項１】
装置本体内に設け被加熱物を収納する加熱室と、前記加熱室に高周波電波を供給する高周波発生装置と、前記加熱室前面に形成し被加熱物を出し入れする加熱室開口部と、前記加熱室開口部を開閉自在に覆うドアと、前記ドアの周縁部に設けたチョーク部と、前記チョーク部と前記加熱室開口部の周壁部との間の位置の前記ドアに設けた樹脂製のチョークカバーと、を備え、
前記チョーク部に対向する前記ドアとの間にゴムパッキンを形成し、前記チョーク部と前記ドアとの間をシールする高周波加熱調理装置。
【請求項２】
前記ドアはチョーク部との隙間を付加する請求項１に記載の高周波加熱調理装置。
【請求項３】
前記ゴムパッキンは弾力性がある材料で形成した請求項１に記載の高周波加熱調理装置。
【発明の詳細な説明】
【技術分野】
【０００１】
本発明は高周波加熱調理装置に関し、特にその扉体の構成に関するものである。
【背景技術】
【０００２】
従来の高周波加熱調理装置においては、図３に示すように、扉体２は外周にチョーク５ａを構え、中央部には加熱室１の中を透視するための小孔群（図示せず）を設けた電波遮断用の金属枠５と、前記小孔群に対応してガラス等の光透過性材料によって、加熱室１側から設けられた接着性の室温硬化型シリコーンゴム６ａによって外周を金属枠５に密着接合された内面スクリーン６と、金属枠５の外側に設けられた樹脂材料よりなる外枠７と前記小孔群に対応して加熱室１と反対側に設けられ、外枠７に取り付けられたガラス等の光透過材料によって形成された外面スクリーン８と、加熱室１側よりチョーク５ａをカバーする樹脂カバー９と、加熱室１内での被加熱物より生じた水蒸気が矢印のごとくスリットチョーク５ａを通って、内面スクリーン６と外面スクリーン８との間に侵入して、内面スクリーン６と外面スクリーン８の内側がくもるのを防止するためにクッションゴムまたはシリコーンゴム１０が金属枠５と外枠７の間にスリット部より内側に貼られている。
【先行技術文献】
【特許文献】
【０００３】
【特許文献１】特開平６−５０５４８号公報
【発明の概要】
【発明が解決しようとする課題】
【０００４】
しかしながら、前記従来の構成では高い機密性が得られず、ドアとチョークを接触させると、チョークが高温になった場合、ドアの耐熱温度を超える場合があり、シリコーンゴムの形状が限定されるなどの課題を有していた。
【０００５】
本発明は、前記従来の課題を解決するもので、ドアとチョークの間に隙間を設けることで、チョークの温度が高温になった場合でもドアの耐熱温度を超えることなく、パッキンの形状も蒸気の発生量に合わせ、フレキシブルに対応することを目的とする。
【課題を解決するための手段】
【０００６】
前記従来の課題を解決するために、本発明はドアとチョークの間に隙間を設けたものである。
【０００７】
これによって、チョークの温度が高温になった場合でもドアの耐熱温度を超えることなく、パッキンの形状も蒸気の発生量に合わせ、フレキシブルに対応することができる。
【発明の効果】
【０００８】
本発明の高周波加熱調理装置は、ドアの耐熱性に依存することなく、チョーク部からドア内部へ異物や蒸気が侵入することを防止することができる。
【図面の簡単な説明】
【０００９】
【図１】（ａ）本発明の実施の形態１における高周波加熱調理装置のドアの要部断面図（ｂ）図１（ａ）のＡ部拡大断面図
【図２】（ａ）本発明の実施の形態１における高周波加熱調理装置のドアの斜視図（ｂ）同ドアの分解斜視図
【図３】従来のドアの高周波加熱調理装置のドアの要部断面図
【発明を実施するための形態】
【００１０】
第１の発明は装置本体内に設け被加熱物を収納する加熱室と、前記加熱室に高周波電波を供給する高周波発生装置と、前記加熱室前面に形成し被加熱物を出し入れする加熱室開口部と、前記加熱室開口部を開閉自在に覆うドアと、前記ドアの周縁部に設けたチョーク部と、前記チョーク部と前記加熱室開口部の周壁部との間の位置の前記ドアに設けた樹脂製のチョークカバーと、を備え、前記チョーク部に対向する前記ドアとの間にゴムパッキンを形成し、前記チョーク部と前記ドアとの間をシールすることにより、チョーク部の温度が高温になった場合でもドアの耐熱温度を超えることなく、パッキンの形状も蒸気の発生量に合わせ、フレキシブルに対応でき、蒸気の侵入を防止することで安価な構成で蒸気の侵入を防止することができる。
【００１１】
第２の発明は、第１の発明の前記ドアはチョーク部との隙間を付加するとしたことで前記ドアの耐熱温度を低く設定することが可能となり、安価な構成で蒸気の侵入を防止することができる。
【００１２】
第３の発明は、特に、第１の発明のゴムパッキンは弾力性がある材料で形成したことにより、ゴムパッキンの形状をフレキシブルにすることができ、蒸気の発生に合わせ蒸気の侵入を防止することができる。
【００１３】
以下、本発明の実施の形態について、図面を参照しながら説明する。なお、この実施の形態によって本発明が限定されるものではない。
【００１４】
（実施の形態１）
図１（ａ）は、本発明の第１の実施の形態における高周波加熱調理装置のドアの要部断面図、図１（ｂ）は図１（ａ）のＡ部拡大断面図、図２（ａ）は本発明の第１の実施の形態における高周波加熱調理装置の斜視図、図２（ｂ）は同ドアの分解斜視図を示すものである。
【００１５】
同図において、電子レンジ２１（高周波加熱調理装置）の装置本体２２内には食品を加熱時に載置するための加熱室２３が設けられている。この加熱室２３の前面には、加熱室開口部２４が形成されている。この加熱室開口部２４には、ドア２５が、前後方向に回動可能に、下辺を軸支されている。
【００１６】
このドア２５には、加熱室開口部２４に面して、一部パンチングされた小孔群を設けた金属板２６が設けられ、ドア２５の骨格を構成している。この金属板２６周縁部の背面側、すなわち装置本体２２側の全周にわたって、チョーク部２７とチョークカバー２８が、略口字状に取り付けられている。
【００１７】
チョーク部２７は、所定の間隔で爪を立てたような断面が概略筒状であり、金属板２６を加工して形成している。そして、チョーク部２７の開放端と金属板２６とは、間隔をおいて対向し、この隙間を開口（加熱室２３の加熱室開口部２４周縁に面している）としてチョーク部２７は、全体として概略ロ字状の溝を形成している。またチョークカバー２８は、前述のチョーク部２７の溝を覆い隠している。
【００１８】
ドア表面樹脂カバー２９は、金属板２６の前面周囲を一様に覆っている。金属板２６の加熱室２３側中心部には、透明ガラス３０が取り付けられている。そして、この透明ガラス３０と、金属板２６の小孔群とを通して、加熱室２３内を覗くことができるようになっている。また、ドア表面樹脂カバー２９の上辺の幅方向にわたって、取っ手３１が設けられている。
【００１９】
そして、チョークカバー２８は平面視略口字状であり、その中央側の端部には全周にわたって、シリコーンゴム製のゴムパッキン３２が一体に、弾性を持って形成されている。このゴムパッキン３２は、金属板２６（特に、チョーク部２７）とチョークカバー２８との隙間をシールする構成になっている。
【００２０】
以上のように構成された高周波加熱調理装置について、以下その動作、作用を説明する。
【００２１】
電子レンジ２１により食品の調理を行う場合、加熱室２３内に収容された食品は、高周波もしくはヒーター熱によって加熱される。この時、煙や蒸気等が食品から発生し、金属板２６とドア表面樹脂カバー２９との隙間から、透明ガラス３０内へ漏洩しようとするが、ドア表面樹脂カバー２９の一端部に形成されたゴムパッキン３２の先端が、金属板２６に密着しているので、漏洩が防止されるのである。
【００２２】
なお、ドア表面樹脂カバー２９と金属板２６に隙間を付勢、寸法設定あるいは配置設定することにより、ゴムパッキン３２とチョーク部２７とが面接触することになり、ドア表面樹脂カバー２９の耐熱温度を低く設定できる。
【００２３】
また、ドア表面樹脂カバー２９と金属板２６に隙間を付勢、寸法設定あるいは配置設定することにより、ゴムパッキン３２の形状に制約がなく蒸気の発生量に合わせ、フレキシブルに蒸気の侵入を防止することができる。
【産業上の利用可能性】
【００２４】
以上のように、本発明にかかる高周波加熱調理装置は、チョークカバーとチョーク部とにより、これらの間のシールが可能となるので、調理装置以外の工業用高周波加熱装置にも適用できる。
【符号の説明】
【００２５】
２１  電子レンジ
２２  装置本体
２３  加熱室
２４  加熱室開口部
２５  ドア
２６  金属板
２７  チョーク部
２８  チョークカバー
３２  ゴムパッキン
【図１】
2013253719.tif 000003
【図２】
2013253719.tif 000004
【図３】
2013253719.tif 000005